(57)【要約】【課題】カバーの共振及び強制振動を抑え防音性に優れたレーザ書き込み装置を提供し、さらにレーザ書き込み装置からの騒音が小さい画像形成装置を提供するである。【解決手段】覆い部材を取り付けることによってほぼ密閉状態となる光学ハウジング１２内に配置され、光源から光学系を通して照射されたレーザビームを偏向走査するポリゴンミラー１１を有するレーザ書き込み装置において、覆い部材が重なり合う複数のカバー１３ａ，１３ｂで構成され、カバー１３ａ，１３ｂが互いに重なり合う重なり領域にて、凸部１７によって一部に他の部分よりも強く互いに力を及ぼし合う圧着部Ａを設けている。【選択図】    図２
2004361588.tif 000002
【特許請求の範囲】
【請求項１】
覆い部材を取り付けることによってほぼ密閉状態となるハウジング内に配置され、光源から光学系を通して照射されたレーザビームを偏向走査するポリゴンミラーを有するレーザ書き込み装置において、
前記覆い部材が重なり合う複数のカバーで構成され、該カバーが互いに重なり合う重なり領域にて、一部に他の部分よりも強く互いに力を及ぼし合う圧着部を設けたことを特徴とするレーザ書き込み装置。
【請求項２】
請求項１に記載のレーザ書き込み装置において、前記圧着部が前記カバーの重なり合う面に設けられた凸部によって形成されることを特徴とするレーザ書き込み装置。
【請求項３】
請求項１に記載のレーザ書き込み装置において、前記圧着部が前記カバーに形成された山型状の湾曲によって形成されることを特徴とするレーザ書き込み装置。
【請求項４】
請求項１に記載のレーザ書き込み装置において、前記圧着部が重なり合う前記カバー間に挟んだ他の部材によって形成されることを特徴とするレーザ書き込み装置。
【請求項５】
請求項１ないし４の何れかに記載のレーザ書き込み装置において、前記覆い部材が遮音特性の異なる材料で作られた複数のカバーで構成されていることを特徴とするレーザ書き込み装置。
【請求項６】
感光体を有する作像手段と、前記感光体にレーザビームにより光書き込みを行う前記請求項１ないし５の何れかに記載のレーザ書き込み装置とを有することを特徴とする画像形成装置。
【発明の詳細な説明】
【０００１】
【発明の属する技術分野】
本発明は、レーザ書き込み装置及び画像形成装置に関するものである。
【０００２】
【従来の技術】
レーザプリンタ、デジタル複写機、デジタルファックス或いはこれらの複合機に用いられるレーザ書き込み装置には、ドライブ基板上に直接軸受を設置し、ポリゴンミラーが裸の状態で回転するタイプと、ポリゴンミラーがケースの中に設置され、概略密閉状態下で回転するタイプのものとがある。ポリゴンミラーが裸の状態で回転させるものは、比較的低速回転のものに限られ、近年の画像形成装置はポリゴンミラーを高速回転させるものが多く、その防音対策のため概略密閉状態下で回転させている。
【０００３】
従来、密閉型レーザ書き込み装置において、その製造上、密閉室の上部にカバーが取り付けられている。このカバーは、平面形状であり、カバーの周囲がボルト等によってハウジングに固定する構成としている。このため、ポリゴンミラーの回転に伴い、ポリゴンミラーの風切りによる振動、ポリゴンミラーを含む回転体のアンバランスによる振動及び／またはレーザ書き込み装置の制御に伴う振動の影響により、カバーが共振（共鳴）或いは強制振動を起こし、その結果、騒音が増大してしまう。したがって、密閉型であっても防音効果が不十分であると言う問題があった。
【０００４】
この問題を解消するため、カバーを複数重ねて防音効果を高めるように構成したレーザ書き込み装置も提案されている。
【発明が解決しようとする課題】
【０００５】
しかしながら、複数のカバーを取り付けたレーザ書き込み装置であっても、部品相互の平面性の差によりびびりが発生するというような部品のバラツキ、組み付けのバラツキ、或いは実使用上の環境の変化（主に環境温度）によって、カバーが共振し、或いは強制振動を起こし、その結果騒音が増大すると言う不具合があった。
【０００６】
本発明は、上記した従来の不具合を解消し、カバーの共振及び強制振動を抑え防音性に優れたレーザ書き込み装置を提供することを第１の目的とし、さらにレーザ書き込み装置からの騒音が小さい画像形成装置を提供することを第２の目的としている。
【０００７】
【課題を解決するための手段】
上記第１の目的を達成するため、本発明は、覆い部材を取り付けることによってほぼ密閉状態となるハウジング内に配置され、光源から光学系を通して照射されたレーザビームを偏向走査するポリゴンミラーを有するレーザ書き込み装置において、前記覆い部材が重なり合う複数のカバーで構成され、該カバーが互いに重なり合う重なり領域にて、一部に他の部分よりも強く互いに力を及ぼし合う圧着部を設けたことを特徴としている。
【０００８】
なお、本発明のレーザ書き込み装置において、前記圧着部が前記カバーの重なり合う面に設けられた凸部によって形成されると、効果的である。
さらに、本発明のレーザ書き込み装置において、前記圧着部が前記カバーに形成された山型状の湾曲によって形成されると、効果的である。
【０００９】
さらにまた、本発明のレーザ書き込み装置において、前記圧着部が重なり合う前記カバー間に挟んだ他の部材によって形成されると、効果的である。
さらにまた、本発明のレーザ書き込み装置において、前記覆い部材が遮音特性の異なる材料で作られた複数のカバーで構成されていると、効果的である。
【００１０】
上記第２の目的を達成するため、本発明は、感光体を有する作像手段と、前記感光体にレーザビームにより光書き込みを行う前記請求項１ないし５の何れかに記載のレーザ書き込み装置とを有することを特徴としている。
【００１１】
【発明の実施の形態】
以下、本発明の実施の形態を添付図面にしたがって説明する。
図１は、本発明に係る画像形成装置としてのレーザプリンタの概略を示す説明図であり、ここに示したレーザプリンタは感光体を備えた作像手段と、該作像手段の感光体に光書き込みを行うレーザ書き込み装置を有している。最初に作像手段の概略について説明する。
【００１２】
図１における作像手段は、ドラム状の感光体１を有し、感光体１は図１における時計方向に回転駆動され、このとき帯電ローラ２によって表面が所定の極性に均一に帯電される。次いでその帯電面に、後に詳述するレーザ書き込み装置１０から出射する光変調されたレーザビームＬが照射される。これによって感光体１上に静電潜像が形成され、その静電潜像が現像装置３によってトナー像として可視像化される。
【００１３】
一方、装置本体下部側に設けられた給紙装置７から、例えば転写紙より成る記録材Ｐが給送され、その記録材Ｐがレジストローラ８を介して感光体１と転写ローラ４の間に送り込まれる。この転写ローラ４に対し、感光体１上のトナーと逆極性の電圧が印加され、これによって感光体１上のトナー像が記録材Ｐ上に転写される。記録材Ｐに転写されず、感光体１上に残された転写残トナーは、クリーニング装置５によって除去され、さらに除電装置６によって感光体１上に残された残留電荷が除去される。
【００１４】
このようにしてトナー像が形成された記録材Ｐは、搬送ベルト２０を介して定着装置９を送られ、このときそのトナー像が記録材Ｐ上に定着され、定着を終えた記録材Ｐは排紙トレイ２１上に排出される。このように、図１に例示した画像形成装置は、作像手段とその作像手段の感光体１にレーザビームによる光書き込みを行うレーザ書き込み装置１０とを具備している。
【００１５】
図２は、レーザ書き込み装置１０の主要部の拡大説明図であり、ここに示したレーザ書き込み装置１０は概略密閉型であって、ポリゴンミラー１１は光学ハウジング１２と覆い部材としてのカバー１３によって形成された略密閉された密閉室１４内に配置されている。ポリゴンミラー１１はカバー１３により密閉された密閉室１４内に配置することで、ポリゴンミラー１１に回転によって発生する音を小さく抑えることができる。なお、密閉室１４には、ポリゴンミラー１１へのレーザビームの入射、出射を可能にするための開口１５が設けられ、この開口１５は防音ガラス１６によって塞がれている。
【００１６】
ところで、先に説明したように、ポリゴンミラー１１が図示していない駆動手段によって回転軸１１ａの回りを回転するとき、ポリゴンミラー１１が６角形等の多角形に形成されているため、風切りによる振動、ポリゴンミラー１１を含めた回転体のアンバランスによる振動、レーザ書き込み装置１０の制御に伴う振動等の影響によりカバーが共振或いは強制振動を起こし、その結果、騒音が増大してしまった。
【００１７】
そこで、図２に示した本例のレーザ書き込み装置１０においては、覆い部材として少なくとも２枚のカバー１３ａ，１３ｂを重ね合わせ、その際、カバー１３ａ，１３ｂが互いに重なり合う重なり領域にて、一部に他の部分よりも強く互いに力を及ぼし合う圧着部Ａを設けるように構成している。本例の圧着部Ａは、上側のカバー１３ａの略中央に形成された凸部１７で構成され、この凸部１７を下側カバー１３ｂ面に圧接するように、２枚のカバー１３ａ，１３ｂを光学ハウジング１２に固定する。この場合、２枚のカバー１３ａ，１３ｂはその周囲の数箇所を固定手段としてのボルト１８の締め付けによって光学ハウジング１２に組み付け固定しており、これによって互いのカバー１３ａ，１３ｂは、凸部１７によって中央部分が押さえ込める構成にすることができる。
【００１８】
このようにして、両カバー１３ａ，１３ｂはボルト１８で固定される位置から遠ざかった略中央に凸部１７によって圧着部Ａが形成されるため、その固有振動数が上がり、振動に強い構成にすることができる。したがって、上記したような風切りによる振動、ポリゴンミラー１１を含めた回転体のアンバランスによる振動、レーザ書き込み装置１０の制御に伴う振動等の影響を受けにくくなり、共振或いは強制振動に伴う騒音の発生を抑えることができる。さらに、カバー１３ａに凸部１７を設けて、これをカバー１３ｂに圧接させて組み付けると言う簡単な構成で、カバー１３ａ，１３ｂを振動に対して強い構造にすることができる。
【００１９】
図２に示したレーザ書き込み装置１０は、カバー１３に凸部１７を設け、カバー１３ａ，１３ｂが互いに重なり合う重なり領域にて、一部に他の部分よりも強く互いに力を及ぼし合う圧着部Ａを形成するように構成したが、図３に示す例ではカバー１３ａを略中央に頂部が形成されるような山型状に湾曲させ、その湾曲面の頂部側が平面状に形成されたカバー１３ｂに圧接するように、カバー１３ａ，１３ｂを光学ハウジング１２に組み付けている。
【００２０】
このように構成したレーザ書き込み装置１０は、平板状のカバー部材１３ｂの上に湾曲の頂部がそのカバー１３ｂの圧接するように、カバー１３ａを重ねて光学ハウジング１２にカバー１３ａ，１３ｂを組み付ける。これによって、カバー１３ａ，１３ｂはボルト１８で固定される位置から遠ざかった略中央に湾曲の頂部部分が圧着されて圧着部となるため、その固有振動数が上がり、振動に強い構成にすることができる。したがって、上記したような風切りによる振動、ポリゴンミラー１１を含めた回転体のアンバランスによる振動、レーザ書き込み装置１０の制御に伴う振動等の影響を受けにくくなり、共振或いは強制振動に伴う騒音の発生を抑えることができる。なお、湾曲板のカバー１３ａではなく、平面板のカバー１３ｂを光学ハウジング１２に近いカバーとすることで、密閉室１４の密閉性を良好に保つことが可能となり、風切り音等やモータ内部の騒音を良好に遮音することができる。
【００２１】
図４に示す実施形態のレーザ書き込み装置１０では、図２の凸部１７に相当する部分にカバー１３ａ，１３ｂと他の部材１７ａを挟み込んで、カバー１３ａ，１３ｂを光学ハウジング１２に組み付け固定している。この他の部材１７ａを挟み込む位置は、上記凸部１７と略同位置、略中央とするとともに、この他の部材１７ａはある程度の力が加わっても容易に変形しない比較的硬い材質のものを用いることが好ましい。
【００２２】
このように構成されたレーザ書き込み装置１０は、図２ものと同様に、略中央に凸部１７によって圧着部Ａが形成されるため、その固有振動数が上がり、振動に強い構成にすることができる。したがって、上記したような風切りによる振動、ポリゴンミラー１１を含めた回転体のアンバランスによる振動、レーザ書き込み装置１０の制御に伴う振動等の影響を受けにくくなり、共振或いは強制振動に伴う騒音の発生を抑えることができる。しかも、カバー１３に凸部１７を設けることがないので、カバー１３ａ，１３ｂは同一のものを使用することができる。
【００２３】
次に、図２から図４の実施形態において、カバー１３ａ，１３ｂの材質等について説明する。カバー１３ａ，１３ｂは、鉄、アルミ、銅等の金属製、或いは樹脂製のものを用いることができ、熱伝導性のよい金属で作ると密閉室１４内にこもる熱が逃げやすくなるので好適である。さらに、カバー１３ａ，１３ｂはある程度の力で押されたとき、腰の強さで撓るものは適しているが、屈曲して変形してしまうものは不適である。さらにまた、カバー１３ａ，１３ｂの材質は遮音特性の異なる別材質のものを用いても良く、このように構成すると、密閉室１４内で発生する様々な周波数の騒音に対して遮音効果を高めることができる。
【００２４】
以上、本発明の好ましい実施形態について説明したが、本発明は上記実施形態に限定されず、各種改変できるものである。
例えば、カバーは２枚重ねたもので説明したが、３枚以上であっても良い。さらに、ポリゴンミラーは１つで複数の感光体、例えば、４つの感光体にレーザ書き込みができるようにするため回転軸線方向の厚みを厚くしたものや、１つの回転軸に２層構造にしたものであってもよい。
【００２５】
【発明の効果】
請求項１の構成によれば、覆い部材が重なり合う複数のカバーで構成され、該カバーが互いに重なり合う重なり領域にて、一部に他の部分よりも強く互いに力を及ぼし合う圧着部を設けたので、カバーの固有振動数が高くなり、共振または強制振動に伴う騒音発生を抑えることができる。
【００２６】
請求項２の構成によれば、圧着部がカバーの重なり合う面に設けられた凸部によって形成されるので、簡単な構成でカバーの固有振動数を高められ、共振または強制振動に伴う騒音発生を抑えることができる。
【００２７】
請求項３の構成によれば、圧着部がカバーに形成された山型状の湾曲によって形成されるので、簡単な構成でカバーの固有振動数を高められ、共振または強制振動に伴う騒音発生を抑えることができる。
【００２８】
請求項４の構成によれば、圧着部が重なり合うカバー間に挟んだ他の部材によって形成されるので、カバー自体を加工することなく、カバーの固有振動数を高められ、共振または強制振動に伴う騒音発生を抑えることができる。
【００２９】
請求項５の構成によれば、覆い部材が遮音特性の異なる材料で作られた複数のカバーで構成されているので、レーザ書き込み装置内で発生する様々な周波数の音に対し遮音効果を高めることができる。
【００３０】
請求項６の構成によれば、感光体を有する作像手段と、感光体にレーザビームにより光書き込みを行う請求項１ないし５の何れかに記載のレーザ書き込み装置とを有するので、上記効果が得られる画像形成装置を提供することができる。
【図面の簡単な説明】
【図１】本発明に係る画像形成装置としてのレーザプリンタの概略を示す説明図である。
【図２】本発明に係るレーザ書き込み装置の一実施形態を示す概略断面図である。
【図３】本発明に係るレーザ書き込み装置の他の実施形態を示す概略断面図である。
【図４】本発明に係るレーザ書き込み装置のさらに他の実施形態を示す概略断面図である。
【符号の説明】
１０    レーザ書き込み装置
１１    ポリゴンミラー
１２    光学ハウジング
１３，１３ａ，１３ｂ    カバー
１４    密閉室
１７    凸部
１７ａ    他の部材
【図１】
2004361588.tif 000003
【図２】
2004361588.tif 000004
【図３】
2004361588.tif 000005
【図４】
2004361588.tif 000006